(57)【要約】【課題】  心拍計測装置の防水性のチェックを製品出荷前だけでなくユーザの使用時にも簡単且つ確実に行えるようにすること。【解決手段】  不透明な硬質プラスチック製のケース１と裏蓋２、ケース１と裏蓋２とで形成する収納室に収納された回路基板６、回路基板６に取り付けられた各種の電子部品７、アンテナ８を有する心拍計測装置において、不透明ケース１の中央部に貫通穴１４を設け、貫通穴１４の外側開口部に透明部材３を液密に固着し、透明部材３の内面に発生した結露を観察して前記心拍計測装置の防水性をチェックできるようにした。【選択図】  図１
2006158712.tif 000002
【特許請求の範囲】
【請求項１】
心拍計測回路等が不透明防水ケースに収納され使用時にユーザの胸部に装着される心拍計測装置において、前記不透明ケースの一部に貫通部を設け、前記貫通部に透明部材を液密に固着し、前記透明部材の内面に発生した結露を観察するようにしたことを特徴とする心拍計測装置。
【請求項２】
前記透明部材は前記貫通部の外側開口部に液密に固着されていることを特徴とする請求項１の心拍計測装置。
【請求項３】
前記透明部材の下面との間に空気が移動できる隙間を形成させて前記貫通部の内側開口部に遮蔽板を配置したことを特徴とする請求項２の心拍計測装置。
【請求項４】
前記透明部材の内面に湿度表示部材が取り付けられていることを特徴とする請求項１乃至３のいずれかに記載の心拍計測装置。
【請求項５】
前記湿度表示材は可逆性湿度表示材であることを特徴とする請求項４に記載の心拍計測装置。
【発明の詳細な説明】
【技術分野】
【０００１】
本発明は、心拍計測回路等が不透明防水ケースに収納され使用時にユーザの胸部に装着される心拍計測装置に関し、特にその防水性チェックの構造に関する。
【背景技術】
【０００２】
心拍計測装置は、例えば特開平１０−１５５７５３号公報（特許文献１）に開示されている如く、心拍計測回路、送信回路、制御回路、アンテナ、電池などの装置構成部が不透明防水ケース内に収納された電子装置である。心拍計測装置の心拍計測回路が計測した心拍データは、送信回路とアンテナを介して心拍数表示器に無線送信される。心拍数表示器は、アンテナ、受信回路、液晶表示部、制御回路及び電池を有する電子装置であり、例えばユーザの手首に装着される腕時計型表示器である。従って、ユーザは使用中の自分の心拍数を簡単に把握することができる。心拍計測装置はユーザの胸部に装着して使用されるものであるから、汗などの水分が心拍計測装置に直接触れる。従って、従来の心拍計測装置には、パッキンを介して裏蓋を前記ケースに固定するという防水構造が採用されている。
【０００３】
即ち、従来の心拍計測装置は、図３の裏蓋を取り除いて示した底面図、及び、図４の長手方向に切断して示した断面図に示す如く、不透明な硬質プラスチック製のケース１と裏蓋２、ケース１と裏蓋２とで形成する収納室に収納された回路基板６、回路基板６に取り付けられた各種の電子部品７、アンテナ８を有する。回路基板６と各種の電子部品７は、心拍計測回路、送信回路及び制御回路を構成する。裏蓋２に形成された電池収納室には電池９が収納されている。前記電池収納室の開口は、電池蓋５によって封止されている。
【０００４】
ケース１と裏蓋２とは、ネジ１１によって結合されている。ケース１と裏蓋２とが当接する面の一部にはＯリング溝が形成されており、このＯリング溝にはＯリング１２が配置されている。また、裏蓋２の電池収納室の開口には、電池蓋５が嵌め込まれている。裏蓋２と電池蓋５とが当接する面の一部にはＯリング溝が形成されており、このＯリング溝にはＯリング１３が配置されている。これらＯリング１２とＯリング１３によって、従来の心拍計測装置は防水構造となっている。
【０００５】
ところで、心拍計測装置は、出荷前に防水性が確保されているか否かの検査を必ず受けなければならない。上述の如く密閉型の防水構造を採用した従来の心拍計測装置の検査は、製品を水槽に一定時間入れて、水泡の有無を観察するという方法で行われていた。しかしながら、このような防水性検査方法は簡易だが、検査精度が低いという問題があった。また、出荷後に心拍計測装置の防水性が低下すると、計測の感度や精度が損なわれる恐れがある。更に、現在は正常に機能していても、機能低下を早めたり、故障したりする可能性が高い。そこで、心拍計測装置の防水性が確保されていることを、製品出荷前だけでなく、ユーザ自身が知ることが望ましい。防水性に問題があることが分かれば、心拍計測装置の使用中止、修理依頼という処置が適切に取れるからである。
【０００６】
【特許文献１】特開平１０−１５５７５３号公報
【発明の開示】
【発明が解決しようとする課題】
【０００７】
本発明が解決しようとする課題は、心拍計測回路等が不透明防水ケースに収納され使用時にユーザの胸部に装着される心拍計測装置において、心拍計測装置の防水性のチェックを製品出荷前だけでなくユーザの使用時にも簡単且つ確実に行えるようにすることである。
【課題を解決するための手段】
【０００８】
上述の課題を解決するために、心拍計測回路等が不透明防水ケースに収納され使用時にユーザの胸部に装着される心拍計測装置において、前記不透明ケースの一部に開口部を設け、前記開口部に透明部材を液密に固着し、前記透明部材の内面に発生した結露を観察して前記心拍計測装置の防水性をチェックできるようにした。
【発明の効果】
【０００９】
本発明により、心拍計測回路等が不透明防水ケースに収納され使用時にユーザの胸部に装着される心拍計測装置において、前記心拍計測装置に侵入した微量の水分をユーザでも簡単且つ確実にチェックできるようになった。従って、ユーザは、防水性に問題があることが分かれば、心拍計測装置の使用中止、修理依頼という処置が適切に取れるようになった。
【発明を実施するための最良の形態】
【００１０】
本発明に係る心拍計測装置は、図１の長手方向に切断して示した断面図、及び、図３の裏蓋を取り除いて示した底面図に示す如く、不透明な硬質プラスチック製のケース１と裏蓋２、ケース１と裏蓋２とで形成する収納室に収納された回路基板６、回路基板６に取り付けられた各種の電子部品７、アンテナ８を有する心拍計測装置において、不透明ケース１の中央部に貫通穴１４を設け、貫通穴１４の外側開口部に透明部材３を液密に固着し、透明部材３の内面に発生した結露を観察して前記心拍計測装置の防水性をチェックできるようにしたものである。
【００１１】
不透明ケース１の中央部に設けられた貫通穴１４は円筒穴であり、その外側開口部は貫通穴１４の内径より少し大きな内径を有する。この外側開口部には、円柱状の透明部材３が防水性を持たせて嵌め込まれ接着材によって固着されている。円柱状の透明部材３は、貫通穴１４の外側開口部にすっぽり嵌入される形状と寸法のものが望ましい。なお、貫通穴１４を設ける位置は、不透明ケース１の中央部でなく、観察可能な位置であれば他の位置でもよく、透明部材３及び貫通穴１４の形状も円形に限定しなくても同様の効果が得られる。
【００１２】
回路基板６と各種の電子部品７は、心拍計測回路、送信回路及び制御回路を構成する。裏蓋２に形成された電池収納室には電池９が収納されている。前記電池収納室の開口は、電池蓋５によって封止されている。ケース１と裏蓋２とは、ネジ１１によって結合されている。ケース１と裏蓋２とが当接する面の一部にはＯリング溝が形成されており、このＯリング溝にはＯリング１２が配置されている。また、裏蓋２と電池蓋１０とが当接する面の一部にはＯリング溝が形成されており、このＯリング溝にはＯリング１３が配置されている。これらＯリング１２とＯリング１３によって、本発明に係る心拍計測装置は防水構造となっている。
【００１３】
上述の実施形態の心拍計測装置において、製品の出荷前の防水性チェックは次のようにして行われる。先ず、製品を発熱板の上に一定時間載置しておく。次に、不透明ケース１に固着されている透明部材３の上面に水滴を垂らす。すると、心拍計測装置の内部に微量でも水分が存在していたら、透明部材３は曇ってしまう。上記発熱板によって蒸発させられて透明部材３の下面に付着していた水蒸気が、透明部材３の上面に垂らされた水滴により冷却され、結露するからである。このような透明部材３に曇りが生じた心拍計測装置は、防水性がないから製品として不合格となる。
【００１４】
上述の製品を発熱板の上に一定時間載置した後に、不透明ケース１に固着されている透明部材３の上面に水滴を垂らすという防水性チェックの手順を経て、透明部材３に曇りが生じなかった心拍計測装置は防水性ありと判定される。
【００１５】
上述の実施形態の心拍計測装置において、ユーザが使用時に防水性チェックを行うことができる。微量でも水分が心拍計測装置の内部に侵入した場合、この水分は高い外気温度等により蒸発し、その直後に前記温度よりも低い温度にさらされると透明部材３に曇りが生じるからである。
【実施例１】
【００１６】
本発明の図１の実施形態の変形例である実施例１は、図２の長手方向に切断して示した断面図、及び、図３の裏蓋を取り除いて示した底面図に示す如く、不透明な硬質プラスチック製のケース１と裏蓋２、ケース１と裏蓋２とで形成する収納室に収納された回路基板６、回路基板６に取り付けられた各種の電子部品７、アンテナ８を有する心拍計測装置において、不透明ケース１の中央部に貫通穴１４を設け、貫通穴１４の外側開口部に透明部材３を液密に固着し、更に、透明部材３の下面との間に空気が移動できる隙間を形成させて貫通穴１４の内側開口部に遮蔽板４を配置した心拍計測装置である。遮蔽板４は円盤状不透明板部材であるが、前記隙間と前記収納室との間に空気の流通ができるが、外から前記収納室の内部が見えないようにする為、微小な孔が複数設けられている。
【００１７】
不透明ケース１の中央部に設けられた貫通穴１４の内側開口部は、貫通穴１４の内径より少し大きな内径を有する。この内側開口部に、円盤状不透明板部材の遮蔽板４は配置され、接着材によって固着されている。なお、上述の実施例では、前記隙間と前記収納室との間に空気の流通を可能にするために、円盤状不透明板部材の遮蔽板４には外から前記収納室の内部が見えないような孔が設けられているとしたが、孔を開けない円盤状不透明板部材の遮蔽板４を用いることも可能である。孔を開けない円盤状不透明板部材の遮蔽板４を用いる場合、前記隙間と前記収納室との間を結ぶ連通口をケース１に設けることによって実現できる。或いは、即ち、孔を開けない円盤状不透明板部材の遮蔽板４の外周部の一部を切り欠くことによっても実現できる。
【００１８】
上述の実施例１の心拍計測装置において、製品の出荷前の防水性チェックは次のようにして行われる。先ず、製品を発熱板の上に一定時間載置しておく。次に、不透明ケース１に固着されている透明部材３の上面に水滴を垂らす。すると、心拍計測装置の内部に微量でも水分が存在していたら、透明部材３は曇ってしまう。上記発熱板によって蒸発させられて透明部材３の下面に付着していた水蒸気が、透明部材３の上面に垂らされた水滴により冷却され、結露するからである。このような透明部材３に曇りが生じた心拍計測装置は、防水性がないから製品として不合格となる。
【００１９】
上述の製品を発熱板の上に一定時間載置した後に、不透明ケース１に固着されている透明部材３の上面に水滴を垂らすという防水性チャックの手順を経て、透明部材３に曇りが生じなかった心拍計測装置は防水性ありと判定される。
【００２０】
上述の実施例１の心拍計測装置において、ユーザが使用時に防水性チェックを行うことができる。微量でも水分が心拍計測装置の内部に侵入した場合、この水分は高い外気温度等により蒸発し、その直後に前記温度よりも低い温度にさらされると透明部材３に曇りが生じるからである。
【実施例２】
【００２１】
本発明の図１の実施形態の他の変形例である実施例２は、図示しないが、透明部材３の下面に湿度表示部材を取り付け、湿度表示部材の変色を利用して防水性のチェックを行うようにしたものである。前記湿度表示部材は、湿度インジケータとして市販されているものを利用できる。
【００２２】
上述の実施例２の心拍計測装置において、製品の出荷前の防水性チェックは次のようにして行われる。先ず、製品を発熱板の上に一定時間載置する。すると、心拍計測装置の内部に微量でも水分が存在していたら、透明部材３の下面に取付けられている湿度表示部材に付着する。前記湿度表示部材は水分により変色するから、水分が製品内部に存在することを更に容易に確認できる。前記前記湿度表示部材を可逆性湿度表示部材とすれば、外気温度以下になれば変色は元の色に戻る。このような湿度表示部材の変色が生じた心拍計測装置は、防水性がないから製品として不合格となる。
【００２３】
上述の製品を発熱板の上に一定時間載置した後に、不透明ケース１に固着されている透明部材３の下面に取付けられている湿度表示部材湿に変色が生じなかった心拍計測装置は防水性ありと判定される。
【００２４】
上述の実施例２の心拍計測装置において、ユーザが使用時に防水性チェックを行うことができる。微量でも水分が心拍計測装置の内部に侵入した場合、この水分は高い外気温度等により蒸発し、透明部材３の下面に取付けられている湿度表示部材に付着し、これを変色させるからである。
【実施例３】
【００２５】
本発明の図２の実施例の変形例である実施例３は、図示しないが、遮蔽板４を湿度表示部材で構成し、湿度表示部材の変色を利用して防水性のチェックを行うようにしたものである。
【００２６】
このような構成の本発明の心拍計測装置において、製品の内部に微量の水分が侵入していれば、この水分は外気温度よりも高い温度によって蒸発し遮蔽板４に付着する。すると、遮蔽板４は水分により変色するから、水分が製品内部に存在することを更に容易に確認できる。遮蔽板４を可逆性湿度表示部材で構成すれば、外気温度以下になれば、変色は元の色に戻る。
【００２７】
上述の製品を発熱板の上に一定時間載置した後に、湿度表示部材の遮蔽板４に変色が生じなかった心拍計測装置は防水性ありと判定される。
【００２８】
上述の実施例２の心拍計測装置において、ユーザが使用時に防水性チェックを行うことができる。微量でも水分が心拍計測装置の内部に侵入した場合、この水分は高い外気温度等により蒸発し、湿度表示部材の遮蔽板４に付着し、これを変色させるからである。
【図面の簡単な説明】
【００２９】
【図１】本発明の一実施形態の心拍計測装置を長手方向に切断して示した断面図である。
【図２】本発明の実施例１の心拍計測装置を長手方向に切断して示した断面図である。
【図３】裏蓋を外して示した心拍計測装置の底面図である。
【図４】従来の心拍計測装置を長手方向に切断して示した断面図である。
【符号の説明】
【００３０】
１  不透明ケース
２  裏蓋
３  透明部材
４  遮蔽板
５  電池蓋
６  回路基板
７  電子部品
８  アンテナ
９  電池
１０  バネ
１１  ネジ
１２  Ｏリング
１３  Ｏリング
１４貫通穴
【図１】
2006158712.tif 000003
【図２】
2006158712.tif 000004
【図３】
2006158712.tif 000005
【図４】
2006158712.tif 000006